(57)【要約】【課題】ＦＭ受信機において、より効果的にノイズを減少させることができる技術を提供する。【解決手段】ＦＭ受信機において、コンポジット信号に基づき、Ｌ信号及びＲ信号を生成するステレオ復調装置において、Ｌ−Ｒ信号、コンポジット信号、又はＬ若しくはＲ信号に含まれる雑音成分に対応する雑音スペクトルを受信信号に基づいて生成する生成手段２２と、生成手段により生成した雑音スペクトルに基づき、Ｌ−Ｒ信号、コンポジット信号、又はＬ若しくはＲ信号における雑音成分を周波数領域において減少させる雑音減少手段２３とを設ける。【選択図】図２
2009010841.tif 000002
【特許請求の範囲】
【請求項１】
ＦＭ受信機において、コンポジット信号に基づき、Ｌ信号及びＲ信号を生成するステレオ復調装置であって、
Ｌ−Ｒ信号、コンポジット信号、又はＬ若しくはＲ信号に含まれる雑音成分に対応する雑音スペクトルを受信信号に基づいて生成する生成手段と、
前記生成手段により生成した雑音スペクトルに基づき、前記Ｌ−Ｒ信号、コンポジット信号、又はＬ若しくはＲ信号における雑音成分を周波数領域において減少させる雑音減少手段とを具備することを特徴とするステレオ復調装置。
【請求項２】
前記生成手段は、前記雑音スペクトルの生成を、前記受信信号に基づいて得られる電波品質に基づいて行うものであることを特徴とする請求項１に記載のステレオ復調装置。
【請求項３】
前記生成手段は、前記雑音スペクトルの生成を、前記電波品質と、前記Ｌ−Ｒ信号、コンポジット信号、又はＬ若しくはＲ信号におけるＳ／Ｎとの関係、並びに前記雑音成分の周波数分布の形状に基づいて行うものであることを特徴とする請求項２に記載のステレオ復調装置。
【請求項４】
前記生成手段は、前記雑音スペクトルの生成を、前記受信信号に基づいて得られるＬ＋Ｒ信号が所定レベル以下のときのＬ−Ｒ信号に基づいて行うものであり、
前記雑音減少手段は、Ｌ−Ｒ信号における雑音成分を周波数領域において減少させるものであることを特徴とする請求項１に記載のステレオ復調装置。
【請求項５】
前記雑音減少手段は、前記Ｌ−Ｒ信号、コンポジット信号、又はＬ若しくはＲ信号から前記生成手段により生成した雑音スペクトルをスペクトル減算するスペクトルサブトラクション法により、又は非線形サブトラクション法、若しくはスペクトルサプレッション法を用いて、前記雑音成分の減少を行うものであることを特徴とする請求項１〜４のいずれか１項に記載のステレオ復調装置。
【請求項６】
ＦＭ受信機において、コンポジット信号に基づき、Ｌ信号及びＲ信号を生成するステレオ復調方法であって、
Ｌ−Ｒ信号、コンポジット信号、又はＬ若しくはＲ信号に含まれる雑音性分に対応する雑音スペクトルを受信信号に基づいて生成する生成工程と、
前記生成工程により生成した雑音スペクトルに基づき、前記Ｌ−Ｒ信号、コンポジット信号、又はＬ若しくはＲ信号から雑音成分を周波数領域において減少させる雑音減少工程とを具備することを特徴とするステレオ復調方法。
【発明の詳細な説明】
【技術分野】
【０００１】
本発明は、ＦＭ受信機において、コンポジット信号に基づき、Ｌ信号及びＲ信号を生成するステレオ復調装置及びステレオ復調方法に関する。
【背景技術】
【０００２】
図８は、従来のＦＭ受信機におけるステレオ復調部の構成を示すブロック図である。同図に示すように、このステレオ復調部は、入力されるコンポジット信号のノイズを除去するノイズキャンセラ回路８１、ノイズキャンセラ回路８１の出力に基づき、パイロット信号を検出するパイロット検出回路８２、ノイズキャンセラ回路８１の出力からパイロット検出回路８２の出力を減じてパイロット信号を除去したコンポジット信号を出力するパイロットキャンセラ回路８３、パイロットキャンセラ回路８３の出力に基づいてＬ＋Ｒ信号（左右チャンネルの和信号）及びＬ−Ｒ信号（左右チャンネルの差信号）を出力するフィルタ回路８４、フィルタ回路８４からのＬ−Ｒ信号についてゲインコントロールを行うためのアンプ８５及びこれを制御するステレオブレンド制御回路８６、フィルタ回路８４及びアンプ８５からのＬ＋Ｒ信号及びＬ−Ｒ信号に基づき、Ｌ信号（左チャンネル信号）及びＲ信号（右チャンネル信号）を生成するマトリックス回路８７、並びにマトリックス回路８７の出力について周波数特性の補正を行うディエンファシス回路８８を備える。
【０００３】
この構成において、ＦＭ受信機のＦＭ検波器から出力されるコンポジット信号は、ノイズキャンセラ回路８１において、それ自体のノイズ成分である高周波成分が検出され、平滑化又はノイズゲートの制御によりノイズが低減される。ノイズが低減されたコンポジット信号からは、パイロット検出回路８２において１９［ｋＨｚ］のパイロット信号が検出され、またそれを逓倍した３８［ｋＨｚ］の信号がサブキャリアとしてマトリクス回路８７に供給される。
【０００４】
一方、ノイズが低減されたコンポジット信号は、パイロットキャンセラ回路８３によりパイロット信号が除去され、フィルタ回路７４における１５［ｋＨｚ］までのローパスフィルタ及び２３〜５３［ｋＨｚ］のバンドパスフィルタにより、Ｌ＋Ｒ信号及びＬ−Ｒ信号に分離される。Ｌ−Ｒ信号はアンプ８５及びステレオブレンド制御回路８６によりゲインコントロールされる。このゲインコントロールは、弱電界である場合等のように受信状況が悪化した際に、Ｓ／Ｎが劣るＬ−Ｒ信号のゲインを減少させ、ノイズを減少させるために行われる。Ｌ＋Ｒ信号及びゲインコントロールされたＬ−Ｒ信号に基づき、マトリックス回路８７においてＬ信号及びＲ信号が生成される。Ｌ信号及びＲ信号はディエンファシス回路８８により周波数特性の補正がなされ、出力される。
【０００５】
図３は図８のＦＭ受信機におけるアンテナ入力電圧‐Ｓ／Ｎ特性の一例を示すグラフである。グラフの横軸はアンテナ入力電圧、縦軸は出力レスポンスである。図中の３１は変調度が３０％であるときの変調出力（信号）を示すグラフ曲線、３２はステレオ放送の受信時における非変調出力（雑音）を示すグラフ曲線、３３はモノラル放送の受信時における非変調出力（雑音）を示すグラフ曲線である。これらのグラフ曲線は、モノラル放送の受信時に比べ、ステレオ放送の受信時にはＳ／Ｎが約２０［ｄＢ］悪化することを示している。
【０００６】
図４はステレオ放送受信時における雑音成分の周波数分布を示すバンド・スペクトラム図である。ステレオ放送の受信時にＳ／Ｎが大きく悪化することを示している。図中の網掛けを付した部分は、本来の音声信号に重畳している雑音スペクトルである。雑音信号は同図のように振幅が周波数に比例しており、三角雑音と呼ばれている。同図のように、モノラル放送の場合には０〜１５［ｋＨｚ］のＬ＋Ｒ信号のみを扱うので、スペクトル部分４１で示されるように雑音成分は比較的少ないが、ステレオ放送の場合には、これに対して２３〜５３［ｋＨｚ］のＬ−Ｒ信号が加わり、スペクトル部分４２で示されるようなＬ−Ｒ信号に重畳する大きな雑音成分が加わるので、Ｓ／Ｎが大きく悪化する。このステレオ放送受信時のノイズはＦＭステレオ放送の原理上、必然的に発生するものであるため、厳密に言えば、理論値以上に改善されることはない。
【０００７】
従来のＦＭ受信機においては、ステレオ放送受信時のノイズを減少させるために、主として上述図８のＦＭ受信機でも用いているようなノイズキャンセラ、及びステレオブレンド制御を採用している。なお、音声信号中のノイズを減少させる技術としては、スペクトル減算によるものも知られている（たとえば、特許文献１参照）。
【０００８】
【特許文献１】特開平１０−１８７１９３号公報
【発明の開示】
【発明が解決しようとする課題】
【０００９】
しかしながら、上述のノイズキャンセラによれば、基本的にはノイズが出現している期間、コンポジット信号をオフにするというものであるため、瞬間的なパルス状のノイズに対しては効果を発揮するが、弱電界等による継続的なノイズの発生する状況下においては効果が薄い。
【００１０】
また、ステレオブレンド制御は、受信状況によりノイズの根源であるＬ−Ｒ信号のゲインを変化させるものである。具体的には、弱電界等に起因してＳ／Ｎの悪化が予想される場合、Ｌ−Ｒ信号を減少させることによってノイズを減少させるものである。このため、ステレオブレンド制御によれば、ノイズを減少させると当然、受信すべきＬ−Ｒ信号自体も減少するので、ステレオセパレーションが悪化する。
【００１１】
このように、従来のＦＭ受信機においては、ノイズの除去をアナログ回路で実現することを前提としているため、その手法が信号成分のゲインを変更したり、信号出力をスイッチングしたりといったような原始的なものに限られている。すなわち、ノイズを減らそうとすると、本来受信すべき音声信号自体も抑制してしまうので、大幅な雑音抑制効果を望むことはできない。
【００１２】
本発明の目的は、このような従来技術の問題点に鑑み、ＦＭ受信機において、より効果的にノイズを減少させることができる技術を提供することにある。
【課題を解決するための手段】
【００１３】
この目的を達成するため、第１の発明に係る装置は、ＦＭ受信機において、コンポジット信号に基づき、Ｌ信号及びＲ信号を生成するステレオ復調装置であって、Ｌ−Ｒ信号、コンポジット信号、又はＬ若しくはＲ信号に含まれる雑音成分に対応する雑音スペクトルを受信信号に基づいて生成する生成手段と、前記生成手段により生成した雑音スペクトルに基づき、前記Ｌ−Ｒ信号、コンポジット信号、又はＬ若しくはＲ信号における雑音成分を周波数領域において減少させる雑音減少手段とを具備することを特徴とする。
【００１４】
ここで、受信信号に基づく雑音スペクトルの生成としては、たとえば、受信信号の受信品質に基づく雑音スペクトルの生成や、受信信号から得られるＬ＋Ｒ信号及びＬ−Ｒ信号に基づく雑音スペクトルの生成が該当する。
【００１５】
この構成において、Ｌ−Ｒ信号等に含まれる雑音成分に対応する雑音スペクトルが受信信号に基づいて生成される際、受信信号の状況、たとえば受信品質等に応じた雑音スペクトルが生成される。この雑音スペクトルに基づき、Ｌ−Ｒ信号等における雑音成分が、周波数領域において、スペクトル減算等により減少される。したがって、受信信号の状況に応じ、効果的に雑音の低減を行うことができる。
【００１６】
第２の発明に係るステレオ復調装置は、第１発明において、前記生成手段は、前記雑音スペクトルの生成を、前記受信信号に基づいて得られる電波品質に基づいて行うものであることを特徴とする
【００１７】
第３の発明に係るステレオ復調装置は、第２発明において、前記生成手段は、前記雑音スペクトルの生成を、前記電波品質と、前記Ｌ−Ｒ信号、コンポジット信号、又はＬ若しくはＲ信号におけるＳ／Ｎとの関係、並びに前記雑音成分の周波数分布の形状に基づいて行うものであることを特徴とする。
【００１８】
第４の発明に係るステレオ復調装置は、第１発明において、前記生成手段は、前記雑音スペクトルの生成を、前記受信信号に基づいて得られるＬ＋Ｒ信号が所定レベル以下のときのＬ−Ｒ信号に基づいて行うものであり、前記雑音減少手段は、Ｌ−Ｒ信号における雑音成分を周波数領域において減少させるものであることを特徴とする。
【００１９】
第５の発明に係るステレオ復調装置は、第１〜第４のいずれかの発明において、前記雑音減少手段は、前記Ｌ−Ｒ信号、コンポジット信号、又はＬ若しくはＲ信号から前記生成手段により生成した雑音スペクトルをスペクトル減算するスペクトルサブトラクション法により、又は非線形サブトラクション法、若しくはスペクトルサプレッション法を用いて、前記雑音成分の減少を行うものであることを特徴とする。
【００２０】
第６の発明に係るステレオ復調方法は、ＦＭ受信機において、コンポジット信号に基づき、Ｌ信号及びＲ信号を生成するステレオ復調方法であって、Ｌ−Ｒ信号、コンポジット信号、又はＬ若しくはＲ信号に含まれる雑音性分に対応する雑音スペクトルを受信信号に基づいて生成する生成工程と、前記生成工程により生成した雑音スペクトルに基づき、前記Ｌ−Ｒ信号、コンポジット信号、又はＬ若しくはＲ信号から雑音成分を周波数領域において減少させる雑音減少工程とを具備することを特徴とする。
【発明の効果】
【００２１】
本発明によれば、Ｌ−Ｒ信号等に含まれる雑音成分に対応する雑音スペクトルを、受信信号に基づいて生成し、これに基づき、Ｌ−Ｒ信号等における雑音成分を、周波数領域において減少させるようにしたため、効果的に雑音の低減を行うことができる。
【発明を実施するための最良の形態】
【００２２】
図１は、本発明の一実施形態に係るＦＭ受信機におけるステレオ復調部の構成を示すブロック図である。同図に示すように、このステレオ復調部は、入力されるコンポジット信号のノイズを除去するノイズキャンセラ回路１１、ノイズキャンセラ回路１１の出力に基づいてパイロット信号を検出するパイロット検出回路１２、ノイズキャンセラ１１の出力からパイロット検出回路１２の出力を減じてパイロット信号を除去したコンポジット信号を出力するパイロットキャンセラ回路１３、パイロットキャンセラ回路１３の出力に基づいてＬ＋Ｒ信号及びＬ−Ｒ信号を出力するフィルタ回路１４、フィルタ回路１４からのＬ−Ｒ信号についてゲインコントロールを行うためのアンプ１５及びアンプ１５を制御するステレオブレンド制御回路１６、フィルタ回路１４及びアンプ１５からのＬ＋Ｒ及びＬ−Ｒ信号に基づいてＬ及びＲ信号を生成するマトリックス回路１７、マトリックス回路１７の出力について周波数特性の補正を行うディエンファシス回路１８を備える。このステレオ復調部はまた、フィルタ回路１４及びアンプ１５間において、フィルタ回路１４からのＬ−Ｒ信号について、スペクトルサブトラクション法によりノイズを減少させるデジタルノイズリダクション部１９を備える。
【００２３】
図２はデジタルノイズリダクション部１９の構成を示すブロック図である。デジタルノイズリダクション部１９は、同図に示すように、フィルタ回路１４からのＬ−Ｒ信号をデジタル信号に変換するＡＤ変換器２１、電波品質情報に基づき、雑音スペクトルを生成する雑音スペクトル推定部２２、雑音スペクトル推定部２２からの雑音スペクトルに基づいてＡＤ変換器２１からのＬ−Ｒ信号に対してノイズ低減処理を施すＤＳＰ（デジタル・シグナル・プロセッサ）２３、及びＤＳＰ２３の出力をアナログ信号に変換するＤＡ変換器２４を備える。
【００２４】
なお、アメリカのＩＢＯＣ（インバンド・オンチャンネル）方式の放送を受信することができるＩＢＯＣ受信機の場合のように、コンポジット信号をデジタルデータとして処理するシステムの場合には、ＡＤ変換器２１及びＤＡ変換器２４を省略することができる。また、本実施形態においては、Ｌ−Ｒ信号についてノイズを除去するのが一番効果的であるという観点から、デジタルノイズリダクション部２０をＬ−Ｒ信号のノイズを除去する位置に設けているが、この代わりに、コンポジット信号や、Ｌ信号及びＲ信号におけるノイズを除去する位置に設けるようにしてもよい。
【００２５】
この構成において、図示していないＦＭ検波器から出力されるコンポジット信号は、まず、ノイズキャンセラ回路１１においてそれ自体のノイズ成分である高周波成分が検出され、これに基づいてコンポジット信号の平滑化又はコンポジット信号に対するノイズゲートの制御が行われる。これによりコンポジット信号におけるノイズの低減が図られる。ノイズが低減されたコンポジット信号は、パイロット検出回路１２により１９［ｋＨｚ］のパイロット信号が検出されるとともに、それが逓倍された３８［ｋＨｚ］の信号が、コンポジット信号を復調するためのサブキャリアとしてマトリクス回路１７に供給される。
【００２６】
一方、ノイズが低減されたコンポジット信号は、パイロットキャンセラ回路５３によりパイロット信号が除去され、フィルタ回路１４の１５［ｋＨｚ］までのローパスフィルタ及び２３〜５３［ｋＨｚ］のバンドパスフィルタにより、Ｌ＋Ｒ信号及びＬ−Ｒ信号に分離される。Ｌ−Ｒ信号はデジタルノイズリダクション部２０に入力される。
【００２７】
デジタルノイズリダクション部１９に入力されたＬ−Ｒ信号は、ＡＤ変換器２１によりデジタル信号に変換され、ＤＳＰ２３においてノイズ除去処理が施され、さらにＤＡ変換器２４によりアナログ信号に変換されて出力される。出力されたＬ−Ｒ信号は、ステレオブレンド制御回路５６によりゲインコントロールされ、マトリックス回路１７に入力される。Ｌ＋Ｒ信号及びゲインコントロールされたＬ−Ｒ信号に基づき、マトリックス回路５７においてＬ信号及びＲ信号が生成される。Ｌ信号及びＲ信号はディエンファシス回路５８により周波数特性の補正がなされ、出力される。
【００２８】
ＤＳＰ２３によるノイズ除去処理は、雑音スペクトル推定部２２からの雑音スペクトルに基づき、スペクトルサブトラクション法（以下、「ＳＳ法」という。）又はこれに相当する手法を用いて行われる。ＳＳ法に相当する手法としては、非線形サブトラクション法や、ＳＳ法に類似するスペクトルサプレッション法等が該当する。雑音スペクトル推定部２２は、入力される電波品質情報に基づき、Ｌ−Ｒ信号に重畳されている雑音スペクトルを生成し、ＤＳＰ２３に出力する。電波品質情報はコンポジット信号を供給するチューナから取得することができるものであり、受信電波の品質やコンポジット信号の品質との間で一定以上の相関関係が認められる情報である。具体的には、アンテナ入力電圧やコンポジット信号の高周波成分等が該当する。
【００２９】
雑音スペクトル推定部２２に入力される電波品質情報は、弱電界であることに起因して受信状況が悪化すると、電波品質情報が変化する。つまり、電界強度が低くなれば、当然アンテナ入力電圧は減少するし、コンポジット信号の高周波成分は増加する。雑音スペクトル推定部２２は、入力される電波品質情報に基づき、Ｌ−Ｒ信号に重畳されている雑音に対応する雑音スペクトルを生成する。
【００３０】
この雑音スペクトルの生成には、上述図３のようなアンテナ入力電圧−Ｓ／Ｎ特性を利用することができる。この特性を参照し、電波品質情報としてのアンテナ入力電圧がたとえば２［ｍＶ］であるとすれば、雑音スペクトルのパワーについては−３０［ｄＢ］程度であると決定することができる。また、雑音成分の周波数分布は図４のように、周波数に比例するいわゆる三角雑音であると考えることができる。したがって、雑音スペクトル推定部２２は、この雑音の周波数分布、及び上記図３の特性を用いて雑音スペクトルを生成し、ＤＳＰ２３に出力することができる。
【００３１】
なお、後述するような単純なＳＳ法によるノイズ低減処理を行う場合には、雑音スペクトル推定部２２は雑音スペクトルのパワーのみをＤＳＰ２３に供給するだけで足りる。しかし、ＳＳ法を改善した手法を用いる場合には、雑音スペクトルのパワーに加え、雑音スペクトルの周波数分布に関する情報も必要であるため、準備しておく必要がある。
【００３２】
ＳＳ法の特徴としては、音声信号に重畳されている雑音信号に対応する減算用の雑音スペクトルを生成する必要があるという点を挙げることができる。また、ホワイノイズやヒスノイズ等の定常的な雑音の除去能力が高く、使い方によっては１０［ｄＢ］以上のＳ／Ｎの改善効果を見込むことができるという特徴もある。ただし、時間的に変動する雑音に対しての効果は低い。
【００３３】
ＳＳ法においては、次のような原理によりノイズ低減が行われる。すなわち、音声、雑音、雑音付加音声のスペクトルをそれぞれＳ（ｆ）、Ｎ（ｆ）、Ｘ（ｆ）とすると、雑音付加音声のパワースペクトル｜Ｘ（ｆ）｜２は次の数１式で与えられる。
【数１】
2009010841.tif 000003
ただし、θＳ−Ｎ（ｆ）はＳ（ｆ）とＮ（ｆ）との位相差を表す。
【００３４】
ＳＳ法では、音声と雑音が統計的に独立で、数１式の第３項を無視することができると仮定し、無音声区間から推定される雑音のパワースペクトル｜Ｎ（ｆ）｜２を用い、次の数２式により音声のパワースペクトルを推定する。
【数２】
2009010841.tif 000004
ここで、αはサブトラクション係数（Ｏｖｅｒｅｓｔｉｍａｔｉｏｎ  Ｆａｃｔｏｒ）であり、Ｎｆ（ｆ）はフロアリングのパワースペクトルである。通常αの値としては１〜２が良い結果を与え、Ｎｆ（ｆ）としては０．１・｜Ｘ（ｆ）｜２がよく用いられる。
【００３５】
ＤＳＰ２３は、入力されるＬ−Ｒ信号をフーリエ変換等により周波数スペクトルに変換するが、これを上記の雑音付加音声スペクトルＸ（ｆ）とすると、雑音スペクトル推定部２２から入力される雑音スペクトルは｜Ｎ（ｆ）｜２であるから、数２式を用いた演算を行うことによりノイズが除去された音声Ｓ（ｆ）を得ることができる。ＤＳＰ２３は、このノイズが除去されたＬ−Ｒ信号のスペクトルを逆フーリエ変換等により再び時間領域のデータに変換する。時間領域のデータに変換されたＬ−Ｒ信号はＤＡ変換器２４によりＤＡ変換され、ノイズが除去されたＬ−Ｒ信号として出力される。
【００３６】
従来のＦＭ受信機は、さほど複雑な処理を行うことができないアナログ回路で構成していたため、ノイズ除去能力が高くはなかったが、本実施形態によれば、デジタルノイズリダクション技術を適用することができるようにしたため、従来にない強力なノイズ除去効果を得ることができる。
【００３７】
図５はこの効果を示すグラフである。このグラフは図３のグラフに対し、本実施形態に従ったＦＭ受信機におけるステレオ放送受信時の非変調出力（雑音）を示すグラフ曲線５１を追加したものである。従来のＦＭ受信機の場合のグラフ曲線３２が示す特性に比べ、弱電界におけるノイズの出力レスポンスが１０［ｄＢ］以上の値Ｄだけ低減していることがわかる。ＳＳ法によるノイズ低減処理は定常的な雑音に対して威力を発揮するが、この定常的な雑音とはまさに弱電界下において発生するものである。本実施形態によれば、ＳＳ法を採用したため、同図に示されるように、弱電界の受信状況下において、従来のＦＭ放送受信機によっては達成することができないＳ／Ｎを実現することができる。
【００３８】
また、ＳＳ法によるノイズ低減処理においては、重畳された雑音成分に対応する雑音スペクトルを生成する必要があるが、本実施形態によれば、電波品質に基づいて雑音スペクトルを生成するようにしたため、電波状態に応じ、円滑かつ正確にノイズ低減処理を行うことができる。
【００３９】
図６は本発明の他の実施形態に係るＦＭ受信機におけるステレオ復調部の構成を示すブロック図である。この復調部では、図１の復調部におけるデジタルノイズリダクション部１９に代えて、フィルタ１４からのＬ＋Ｒ信号及びＬ−Ｒ信号を入力とするデジタルノイズリダクション部６１を備える。他の点については、図１の復調部の場合と同様である。
【００４０】
図７はデジタルノイズリダクション部６１の構成を示すブロック図である。図中の７１は、フィルタ回路１４からのＬ＋Ｒ信号における無音区間を検出する無音検出部であり、７２は無音検出部７１からの検出信号及びＡＤ変換器２１からのＬ−Ｒ信号に基づき、Ｌ−Ｒ信号に含まれる雑音成分に対応する雑音スペクトルを生成する雑音スペクトル推定部である。
【００４１】
すなわち、図１の復調部におけるデジタルノイズリダクション部１９では、雑音スペクトルを生成するために、図２に示すように、チューナから得られる電波品質情報を用いるようにしている。これに対し、図７のデジタルノイズリダクション部においては、無音検出部７１によってＬ＋Ｒ信号が無音であると判定されるときのＬ−Ｒ信号に基づき、雑音スペクトル推定部７２によって雑音スペクトルを生成するようにしている。
【００４２】
つまり、Ｌ＋Ｒ信号がゼロであるときに一定レベル以上のＬ−Ｒ信号が存在することは稀である。もし存在するとすれば、それはＬ信号及びＲ信号が逆相の場合であり、このようなケースが長時間継続することはありえない。そこで、Ｌ＋Ｒ信号によりＬ−Ｒ信号の無音区間を判定し、無音区間におけるＬ−Ｒ信号を雑音信号として使用するようにしているわけである。
【００４３】
無音検出部７１はＬ＋Ｒ信号の大きさが所定値以下となったとき、無音区間が開始したものと判定し、その旨を示す無音区間検出信号を雑音スペクトル推定部６２に出力する。これをトリガとして、雑音スペクトル推定部６２は、ＡＤ変換器２１からのＬ−Ｒ信号をフーリエ変換することにって雑音スペクトルを生成し、ＤＳＰ２３に供給する。ＤＳＰ２３は図２の場合と同様にしてＳＳ法によりＬ−Ｒ信号から雑音スペクトルを減算し、雑音成分を除去する。他の点については上述実施形態の場合と同様である。
【図面の簡単な説明】
【００４４】
【図１】本発明の一実施形態に係るＦＭ受信機におけるステレオ復調部の構成を示すブロック図である。
【図２】図１のステレオ復調部におけるデジタルノイズリダクション部の構成を示すブロック図である。
【図３】ＦＭ受信機におけるアンテナ入力電圧‐Ｓ／Ｎ特性の一例を示すグラフである。
【図４】ステレオ放送受信時における雑音成分の周波数分布を示すバンド・スペクトラム図である。
【図５】図１のステレオ復調部によるノイズ除去効果を示すグラフである。
【図６】本発明の他の実施形態に係るＦＭ受信機におけるステレオ復調部の構成を示すブロック図である。
【図７】図６のステレオ復調部におけるデジタルノイズリダクション部の構成を示すブロック図である。
【図８】従来のＦＭ受信機におけるステレオ復調部の構成を示すブロック図である。
【符号の説明】
【００４５】
１１，８１：ノイズキャンセラ回路、１２，８２：パイロット検出回路、１３，８３：パイロットキャンセラ回路、１４，８４：フィルタ回路、１５，８５：アンプ、１６，８６：ステレオブレンド制御回路、１７，８７：マトリックス回路、１８，８８：ディエンファシス回路、１９：デジタルノイズリダクション回路、２１：ＡＤ変換器、２２：雑音スペクトル推定部、２３：ＤＳＰ、２４：ＤＡ変換器、３１〜３３，５１：グラフ曲線、４１，４２：雑音スペクトル部分、６１：デジタルノイズリダクション部、７１：無音検出部、７２：雑音スペクトル推定部。
【図１】
2009010841.tif 000005
【図２】
2009010841.tif 000006
【図３】
2009010841.tif 000007
【図４】
2009010841.tif 000008
【図５】
2009010841.tif 000009
【図６】
2009010841.tif 000010
【図７】
2009010841.tif 000011
【図８】
2009010841.tif 000012